(57)【要約】  データＤを処理する携帯型装置１は、データＤを記憶するための第１のメモリ手段２を擁する。第１のメモリ手段２は、処理すべきデータＤの供給を停止させられるように構成される。装置１は、第１のメモリ手段２がデータ供給を停止させられている間に処理用の記憶データを供給するためにデータＤの一部を記憶するための第２のメモリ手段３と、データＤを供給する第１のメモリ手段２を停止させるためにユーザにより供給された第１のコマンドを受信しその受信した第１のユーザコマンドに応答して停止信号Ｓを生成するインタフェース手段７と、停止信号Ｓを受信しその受信した停止信号Ｓに応答して第１メモリ手段２がデータＤを供給することを停止させ第１のメモリ手段２がデータＤの供給を停止させられている間第２のメモリ手段３により供給されるデータＤを処理する処理手段４とを有する。
2008512813.tif 000002
【特許請求の範囲】
【請求項１】
データを処理する携帯型装置であって、
前記データを記憶するように設けられ処理すべきデータの供給を停止させられるように構成された第１のメモリ手段と、
前記データの少なくとも一部分を記憶するために設けられ前記第１のメモリ手段がそのデータの供給を停止させられている間に前記データの当該部分を供給するように構成された第２のメモリ手段と、
停止信号を受信するように構成され、当該受信した停止信号に応答して前記第１のメモリ手段が前記データを供給するのを停止するように構成され、前記第１のメモリ手段が当該データの供給を停止させられている間に前記第２のメモリ手段により供給されるデータを処理するように構成された処理手段と、
第１のユーザコマンドを受信するためにユーザとのインターフェースをなし、当該受信した第１のユーザコマンドに応答して前記停止信号を生成し、その生成された停止信号を前記処理手段に供給するように構成されたインターフェース手段と、
を有する装置。
【請求項２】
請求項１に記載の装置であって、前記処理手段は、前記第１のメモリ手段が当該データの供給を停止させられる前に前記第１のメモリ手段から前記第２のメモリ手段へ前記データの所定部分をコピーするように構成されている、装置。
【請求項３】
請求項１に記載の装置であって、前記処理手段は、起動信号を受信するように構成され当該受信した起動信号に応答して前記データを供給するために前記データの供給を停止させられている当該第１メモリ手段を再起動するように構成される、装置。
【請求項４】
請求項３に記載の装置であって、前記インターフェース手段は、第２のユーザコマンドを受信して当該受信した第２のユーザコマンドに応答して前記起動信号を生成し、その生成された起動信号を前記処理手段に供給するように構成されている、装置。
【請求項５】
請求項１ないし４のうちいずれか１つに記載の装置であって、オーディオ及び／又はビデオの内容を表すデータを処理するように構成されている装置。
【請求項６】
携帯型装置においてデータを処理する方法であって、当該装置は、記憶データを供給するための第１のメモリ手段及び第２のメモリ手段を有し、前記第１のメモリ手段は、処理すべきデータの供給を停止させられるように構成され、
当該装置のインターフェース手段によって第１のユーザコマンドを受信し、当該受信したユーザコマンドに応答して前記第１のメモリ手段がデータを供給するのを停止させるための停止信号を生成するステップと、
前記停止信号を受信しこの受信した停止信号に応答して前記第１のメモリ手段が前記データを供給するのを停止させるように構成された当該装置の処理手段に、当該生成された停止信号を供給するステップと、
前記第１のメモリ手段が前記データの供給を停止させられている間に前記処理手段により前記第２のメモリ手段によって供給されたデータを処理するステップと、
を有する方法。
【請求項７】
請求項６に記載の方法であって、前記処理手段の補助により、前記第１のメモリ手段が当該データ供給を停止させられる前に前記第１のメモリ手段から前記第２のメモリ手段へデータの所定の部分をコピーするステップをさらに有する、方法。
【請求項８】
請求項６に記載の方法であって、当該データ供給を停止させられている第１のメモリ手段を起動するための起動信号を前記処理手段において受信するステップと、前記処理手段の補助により当該データの供給のために当該データ供給を停止させられている第１のメモリ手段を再起動するステップと、をさらに有する方法。
【請求項９】
請求項８に記載の方法であって、前記インターフェース手段の補助により第２のユーザコマンドを受信するステップと、当該受信した第２のユーザコマンドに応答して前記起動信号を生成するステップと、当該生成された起動信号を前記処理手段に供給するステップと、をさらに有する方法。
【請求項１０】
請求項６ないし９のうちいずれか１つに記載の方法であって、当該処理されるデータは、オーディオ及び／又はビデオデータを表す、方法。
【発明の詳細な説明】
【技術分野】
【０００１】
本発明は、データを処理する携帯型の装置に関し、特に、記憶データを供給するための第１のメモリ手段及び第２のメモリ手段を有する装置に関する。
【０００２】
本発明はさらに、携帯型装置においてデータを処理する方法に関し、特に、記憶データを供給するための第１のメモリ手段及び第２のメモリ手段を有する装置に関するものに関する。
【背景技術】
【０００３】
米国特許出願に係る文献のＵＳ２００２／００８３２８０Ａ１からは、パーソナルコンピュータ（ＰＣ）により実現される装置が知られている。このＰＣは、データを記憶するためのハードディスクにより実現された第１のメモリ手段を有する。このハードディスクは、動作状態にあるときに、これに停止起動信号を供給することによって停止させることができる。これにより、ハードディスクを動作からそれぞれ一時中断及び停止させることができる。これは、読取／書込ヘッドが、データを記憶する回転可能なディスクの外径の外側にある停留ポジションに駆動させられ、ディスクは回転を停止させられることを意味している。この状態では、ハードディスクは、振動又は機械的衝撃によるダメージから比較的良好に保護される。しかしながら、記憶データの読み取りは、この状態の間は禁止又は中断させられる。
【０００４】
ＰＣはさらに、不揮発性固体メモリにより実現される第２のメモリ手段を有する。この第２のメモリ手段は、当該ハードディスクに記憶されるデータの少なくとも一部を記憶するために設けられ、ハードディスクが動作から一時中断している間の時間期間における処理のためにこれらデータを供給するように用いられる。
【０００５】
ＰＣはさらに、ＰＣが動いているか否かを検出するための検出手段を有する。ＰＣが動いているものとみなされるか否かの条件は、ＡＣ電源ライン、ＬＡＮケーブル及び電話線がそれぞれＰＣに接続されているか否かである。また、ＰＣに影響を与える加速度又は力を検出するために動き検出器を設けることができる。検出結果に応じて、ＰＣは固定して設置されているときは第１のモードで、移動しているときは第２のモードで用いることができる。第１のモードの動作では、ＰＣは、ハードディスクを利用し、全てのデータが利用可能である。第２のモードの動作では、ＰＣは固体メモリを用い、少ないデータセットしか利用できない。
【０００６】
一般的な作業環境において、ＰＣは、ＡＣ電源ライン及びＬＡＮに接続されるのが普通である。電源管理ユニット又はソフトウェアは、当該電源がＰＣの全ての構成部に供給されることを保証するものである。したがってＰＣは、その第１のモードの動作で動作可能である。ＰＣがもはやＡＣ電源ラインに接続されなくなると、当該電源管理ユニット又はソフトウェアは、バッテリ又は蓄電池により現に供給されているエネルギを節約するために、所定の時間の後又はＰＣが所定の時間において用いられなかったことを検出した後にハードディスクを不稼働とすることになる。また通常は、ＰＣの他の構成部が、電源の供給から一度に又は順々にオフに切り換えられ、ＰＣは最終的に動作停止状態に至ることになる。普通は、ＰＣの電源投入ボタンを押すことによりＰＣを立ち上げる。ここで、検出手段がＰＣが移動状態にあることを検出し第２のモードの動作だけがデータ処理のために許容される。したがって、ＰＣは、ここで専らその第２のモードの動作で動作させられ、固体メモリだけを利用することになる。これにより、検出手段がＰＣが固定して設置されていることを検出しない間においてハードディスクをダメージから保護する、という効果を奏する。
【０００７】
しかしながら、かかる既知の装置では、第２のモードの動作の使用がＰＣのソフトウェア又はハードウェアの制御の下でしか可能でない点が不利であると判明した。
【発明の開示】
【発明が解決しようとする課題】
【０００８】
本発明の目的は、冒頭の第１段落に規定されるタイプの装置及び第２の段落に規定されるタイプの方法であって、上記不利な面を回避するものを提供することである。
【課題を解決するための手段】
【０００９】
上記目的を達成するため、本発明による装置により、本発明による装置を以下に規定されるような態様で特徴づけることができるように特徴的事項が規定される。すなわち、
【００１０】
データを処理する携帯型装置であって、前記データを記憶するように設けられ処理すべきデータの供給を停止させられるように構成された第１のメモリ手段と、前記データの少なくとも一部分を記憶するために設けられ前記第１のメモリ手段がそのデータの供給を停止させられている間に前記データの当該部分を供給するように構成された第２のメモリ手段と、停止信号を受信するように構成され、当該受信した停止信号に応答して前記第１のメモリ手段が前記データを供給するのを停止するように構成され、前記第１のメモリ手段が当該データの供給を停止させられている間に前記第２のメモリ手段により供給されるデータを処理するように構成された処理手段と、第１のユーザコマンドを受信するためにユーザとのインターフェースをなし、当該受信した第１のユーザコマンドに応答して前記停止信号を生成し、その生成された停止信号を前記処理手段に供給するように構成されたインターフェース手段と、を有する装置である。
【００１１】
上記目的を達成するため、本発明による方法により、本発明による方法を以下に規定されるような態様で特徴づけることができるように特徴的事項が規定される。すなわち、
【００１２】
携帯型装置においてデータを処理する方法であって、当該装置は、記憶データを供給するための第１のメモリ手段及び第２のメモリ手段を有し、前記第１のメモリ手段は、処理すべきデータの供給を停止させられるように構成され、当該装置のインターフェース手段によって第１のユーザコマンドを受信し、当該受信したユーザコマンドに応答して前記第１のメモリ手段がデータを供給するのを停止させるための停止信号を生成するステップと、前記停止信号を受信しこの受信した停止信号に応答して前記第１のメモリ手段が前記データを供給するのを停止させるように構成された当該装置の処理手段に、当該生成された停止信号を供給するステップと、前記第１のメモリ手段が前記データの供給を停止させられている間に前記処理手段により前記第２のメモリ手段によって供給されたデータを処理するステップと、を有する方法である。
【００１３】
本発明による特徴事項は、比較的高いレベルの振動又は機械的衝撃作用に耐えることのできない第１のメモリ手段例えばハードディスクを保護しようとすること、及び当該装置が第１のメモリ手段の動作を即座に停止させデータ処理のために第２のメモリ手段を利用することの意志をユーザが決意することができるという利点を奏する。特に、第２のメモリ手段は、第１のメモリ手段よりも高いレベルの振動又は機械的衝撃に耐えるように構成される。これにより、普通は大きな振動又は機械的衝撃作用に絡むスポーツの活動中において、標準のＰＣに、また携帯型のオーディオ及び／又はビデオ再生及び／又は記録装置に一般的に用いられるハードディスクを用いることが可能となる。ユーザが、ハードディスクへのダメージを生じるかもしれないこのような状況に近づいていることを認識しうるや否や、ユーザは、必要に応じてハードディスクを不稼働とすることができ、ハードディスクがダメージを受けることがないものとすることを比較的確実にすることができる。また、これにより、当該ハードディスクの寿命が大幅に長くなり、それらハードディスクを永続的に動作させる従来の携帯型装置と比較してユーザが比較的に長い時間その装置の使用を楽しむこととなる。
【００１４】
請求項２及び請求項６に記載の方策は、それぞれ、例えばユーザが、第１のメモリ手段がデータの供給を停止させられている間に第２のメモリ手段にコピーしたものとすることを望むデータの予め規定された部分を利用可能とするために当該部分の数をいくつとするか予め決めることができる、という効果を奏する。通常の使用状況では、当該振動又は機械的衝撃作用を引き起こす活動の予期される期間に応じてデータの予め規定された部分の数を調整することになる。
【００１５】
本発明による方策においては、当該装置の再起動（再開）が行われるまで、例えば、当該装置の電源がオフに切り換わり再びオンに切り換わるまで、第１のメモリ手段がデータを供給するのを停止させられたままとすることが規定されるようにしてもよい。これにより、第１のメモリ手段は、当該スポーツの活動中において偶発的に再起動させられないことが保証される。但し、請求項３及び請求項７がそれぞれ提供されると、特に効果的であることが判明した。これにより、ユーザが第１のメモリ手段に記憶されたデータの全て又は予め規定されたデータの部分にアクセスをしたいと思う度に当該装置を再起動させる必要がない、という利点を奏する。第１のメモリ手段の再起動は、例えば、所定の可変な時間期間の後又は固定の時間期間が経過した後に自動的に行われるようにしてもよい。他の実施例では、振動又は機械的衝撃作用が減衰したことを検出するためのセンサも設けられるようにしてもよい。
【００１６】
請求項４及び請求項８にそれぞれ記載の方策は、当該装置の動作システムが記憶データを供給するために第１のメモリ手段を再起動するまでユーザが待機する必要がないという利点を奏する。有利なのは、ユーザが、振動又は機械的衝撃作用に対して保護されるように停止させた後にデータを供給するために第１のメモリ手段が利用可能となるときに自分の要求を決めることができることである。
【００１７】
請求項５及び請求項１０にそれぞれ記載の方策は、衝撃の影響に関連する携帯型のディジタル民生製品の寿命を大幅に延ばすことができ、ユーザがその装置に対して過度に大きな衝撃の影響を回避する恐れを持つことなく、その装置を積極的に保護することができる、という効果を奏する。
【００１８】
本発明の上記態様及びその他の態様は、以下に説明される実施例の例示によって明らかとなり、これら実施例の例示に基づいて説明される。
【００１９】
以下では、本発明を例示の実施例に基づいて詳しく説明するが、本発明はこれらに限定されるものではない。
【発明を実施するための最良の形態】
【００２０】
図１に示されるの装置は、データを処理するための装置である。本例では、ＭＰＥＧ符号化法に準じてディジタル符号化された音響信号を再生するためのいわゆるＭＰ３プレーヤ１を実現するものであり、かかる符号化法は、従来よく知られたものである。ＭＰ３プレーヤ１は、数千もの音響の曲を記憶するための十分に大きな記憶容量を有するハードディスク２により実現される第１のメモリ手段を有する。ハードディスク２は、データＤを記憶しその記憶されたデータＤをＭＰ３プレーヤにおいて処理されるように供給するための主記憶装置である。
【００２１】
他の装置とのインターフェースをとるインターフェース手段は図１には明確に示されていないが、当業者であれば、このようなＭＰ３プレーヤ１が、オーディオの曲を表すデータＤをＰＣからＭＰ３プレーヤ１に転送してそれらをハードディスク２に記憶するために、他の装置、例えばパーソナルコンピュータとのインターフェースのためのインターフェース手段を有することが分かる筈である。また、ＭＰ３プレーヤ１の電源（例えばバッテリ）をオンオフ切り換えるためのパワースイッチも利用可能であるが、図１には示されていない。
【００２２】
電源のオン切り換えにより、ハードディスク２が起動させられる。したがって、ハードディスク２のデータ担持ディスク（図１には示されていない）を回転状態に至らしめ、ハードディスク２の読取／書込ヘッド（図１には示されていない）は停留ポジションから開放される。ここで、かかるヘッドは、電源がオフに切り換えられたときに停留状態とされ、或いはハードディスクがセーブモードに入ったときに停留状態とされる。かかるセーブモードは、例えば、長い時間期間にわたりデータＤを要求しないことによって起動される。停留ポジションにヘッドを停留させると、振動又は機械的衝撃作用によるダメージから比較的良好に保護される。このようなハードディスクの振る舞いは、従来より知られている。
【００２３】
ハードディスク２に加えて、ＭＰ３プレーヤ１は、不揮発性型の固体半導体メモリ３により実現される第２のメモリ手段をさらに有する。メモリ３は、ハードディスクがデータの供給のために利用できない間である、大きな振動又は衝撃作用の期間において用いられることになるＭＰ３プレーヤ１の二次メモリとするのが有利である。この点については、後述する。
【００２４】
ＭＰ３プレーヤ１はさらに、ハードディスク２に対するデータＤの流れを制御するように構成され、一般的にデータＤの処理をなすように構成された処理手段４を有する。処理手段４は特に、ハードディスク２からデータＤを要求し、ハードディスク２により供給されたデータＤを受信し、その受信したデータＤを、例えば曲などの可聴の情報を表す電気的アナログ信号ＡＳを供給するためにＭＰＥＧ規格に準じて処理するように構成される。ＭＰ３プレーヤ１はさらに、当該アナログ信号ＡＳを増幅し増幅されたアナログ信号ＡＡＳを供給する増幅器５を有する。増幅器５へ接続されるのは、当該増幅されたアナログ信号ＡＡＳに基づいて可聴のオーディオ信号を生成するための拡声スピーカ６である。処理手段４はまた、メモリ３からのデータＤをリクエスト、すなわち、より精細に読み出し、ハードディスク２から受信したデータＤに同調してこれらデータＤを処理するようにも構成されている。
【００２５】
ＭＰ３プレーヤ１は、ユーザとの仲介をなすためのインターフェーシング手段７をさらに有し、この手段は、曲の再生状態に関する状態情報を供給するため、又は目録リストから再生されるべき１曲又は複数の曲を選択するための選択オプションを提供するためのものである。また、ボリューム及びラウドネスなどの他の設定又はイコライザ設定は、インターフェース手段７を介して与えられるようにしてもよい。本例では、インターフェース手段は液晶（ＬＣＤ）ディスプレイと、ＭＰ３プレーヤ３の再生機能に関連した特徴を選択及び／又は起動若しくは起動解除する再生制御ボタンとによって実現される。ＬＣＤディスプレイ及び再生制御ボタンは、従来より知られているものと考えられ、図１には明確に示されていない。
【００２６】
当該インターフェース手段はさらに、「衝撃ロック／アンロック」ボタン８を有する。ボタン８は、第１ユーザコマンドを受信するために設けられており、このコマンドは、処理手段４により処理されることの可能なデータＤを供給することをハードディスク２に停止させるためのいわゆる「停止命令」である。同ボタン８はまた、第２のユーザコマンドを受信するために設けられ、このコマンドは、前に同ボタン８により停止された後に処理手段４により処理することができるデータＤを供給するためにハードディスク２を再起動するためのいわゆる「起動命令」である。
【００２７】
ボタン８は、押圧されるように構成され、その押された位置で止まるようになっている。この位置において、当該ボタンの接点（図示せず）が閉じ、停止信号Ｓが生成され処理手段４に供給若しくは送出され又は検知可能とされる。
【００２８】
処理手段４は、停止信号Ｓを受信するように構成される。処理手段４はさらに、処理手段４において当該停止信号を受信することにより起動されるハードディスク２の停止の前に、ハードディスク２からメモリ３へ例えば２０の曲を表すデータＤの所定の部分をコピーするように構成される。処理手段４はまた、データＤの部分をコピーした後に受信した停止信号Ｓに応答して停止起動信号ＳＴを生成し、その停止起動信号ＳＴをハードディスク２に伝送してハードディスク２がその動作を停止又は中断するように起動をかけ、読取ヘッドを上述したような停留ポジションに移動させるように構成される。したがって、処理手段４は、データＤを供給するハードディスク２により実現される第１のメモリ手段を停止するように構成される。さらに、処理手段４は、ハードディスク２により供給されるデータＤを処理することからメモリ３からのデータＤをリクエストするように切り換わり、ハードディスク２が停止している間、メモリ３から受信したデータＤを、ハードディスク２から受信していたのと同じように処理するように構成される。
【００２９】
ボタン８はさらに、再度押圧されるように構成され、当該止まり位置から開放される。その開放位置において、ボタンの接点（図１には示されていない）は、開放され、起動信号Ａが生成され処理手段４に供給若しくは送出され又は検知可能とされる。
【００３０】
処理手段４は、起動信号Ａを受信するように構成される。処理手段４はさらに、受信した起動信号Ｓに応答して起動トリガ信号ＡＴを生成し、その起動トリガ信号ＡＴをハードディスク２に伝送し、ハードディスク２がその動作を再起動するように起動する。これは、読取／書込ヘッドが当該停留ポジションから出るように動かされディスクが回転させられることを意味する。したがって、処理手段４は、データＤを供給するハードディスク２により実現される停止状態の第１のメモリ手段の再起動をなすように構成される。さらに、処理手段４は、メモリ３により供給されるデータＤを処理することからハードディスク２からデータＤをリクエストすることに切り換わり、ハードディスク２から受信したデータＤを、ハードディスク２が停止又は中断される前に受信していたの同じように処理するよう構成される。
【００３１】
次に、ＭＰ３プレーヤ１の動作を詳しく説明する。ＭＰ３プレーヤ１は、その内部のハードディスク２に１０００曲記憶し、ユーザはこれら記憶された曲を聞きながらマウンテンバイクに興じていることを仮定する。ユーザが下り坂の道に達すると、ボタン８を押すことによりダメージからハードディスクを守ることを決意する。これにより、本発明による携帯型装置１におけるデータＤを処理する方法のステップの実行が開始される。
【００３２】
この方法によれば、ユーザの起動した停止コマンドは、特にユーザインターフェース７のボタン８により、ユーザインターフェース７の助けによって受信される。受信したユーザコマンドに応答して、ハードディスクがデータＤを供給するのを停止する停止信号Ｓが生成され処理手段４に供給される。この方法の次のステップでは、処理手段は、例えば２０曲を表すデータの所定の部分をハードディスク２からメモリ３へとコピーする。この方法のその次のステップでは、処理手段は、停止起動信号ＳＴをハードディスク２に供給し、ハードディスク２がその動作を停止又は中断するようにする。当該方法のこの最後のステップに時間的に連続して又は並列に、処理手段４は、ハードディスク２により供給されるデータＤを処理することから、メモリ３により供給されるデータＤを、ハードディスク２により供給されていたように処理する。
【００３３】
下り坂の道を終えた後、そのバイクに乗った人は、ハードディスクがダメージを受ける可能性のあるハードディスク２に対する大きな機械的影響の危険性が終わったことを自分の必要に応じて決定することになる。その人は、全ての曲を利用可能なものとするために、再びボタン８を押すことになる。これにより、ユーザは起動コマンドを与えたことになるので、本方法の実行の次のステップを起動する。この方法によれば、ユーザにより起動された起動コマンドは、インターフェース手段７により、特にボタン８により受信される。受信したユーザコマンドに応答して、起動信号Ａが生成され、処理手段４に供給される。この方法の次のステップでは、処理手段４は、ハードディスク２に送られる起動トリガ信号ＡＴを生成する。本方法のさらなるステップによれば、受信した起動トリガ信号ＡＴに応答してハードディスク２が起動される。このステップに時間的に連続して又は並列に、処理手段４は、メモリ３により供給されるデータＤを処理することから、ハードディスク２から供給されるデータＤを処理することに切り換わる。したがって、ユーザは、再びハードディスク２に記憶される曲全ての聞き取りを楽しめることとなる。
【００３４】
なお、本発明による装置１は、ビデオを再生するように構成することもできる。また、当該装置を、オーディオ信号若しくはビデオ信号又はこれら双方の組み合わせを記憶するように構成することもできる。さらに、ＭＰＥＧコーディング／符号化方法だけが適用可能なわけではなく、他のよく知られた又は今後の方法をこれについて適用可能でもある。また、当該装置は、例えばビジネス及び経済的に又は私的に用いられる文書又はデータシートの場合のように、テキスト又は番号を表すデータを処理するように構成することもできる。情報を表す概して全ての種類のデータを対象とすることができる。他の例としては、ナビゲーションデータなどを挙げることができる。
【００３５】
第１のメモリ手段は、コンパクトディスク（ＣＤ）又はディジタルバーサタイルディスク（ＤＶＤ）のような光学的に読取可能なデータ担体に記憶されたデータをアクセスするためのディスクドライブにより実現可能である。第１のメモリ手段をデータ供給から停止させることは、どちらの場合も、ディスクが回転している状態からロックされ又はブロックされ、光学ピックアップユニットが衝撃保護ポジションに停留させられることを意味する。
【００３６】
また、ハードディスク２に比し振動又は機械的衝撃作用について高い許容性を有しこのような機械的影響によりダメージを受けるリスクに及ばない記憶装置は、メモリ３を実現することができると言うことができる。この点に関しては、既に述べた半導体メモリ３に加えて、例えば磁気式ランダムアクセスメモリ（ＭＲＡＭ）を挙げることができる。
【００３７】
ボタン８をユーザとの仲介のためのインターフェース７の主要な部分として説明したが、インターフェース手段７は、ハードディスク２の動作を制御するための可聴コマンドを受信するように構成することができる。また、タッチスクリーン又はその他の具現形態の触感センサをボタン８の代わりに採用することができる。
【００３８】
さらに、処理可能なデータＤを供給するためにハードディスク２とメモリ３との切り換わりを２つの異なる音によって示すことができ、各々が１つの記憶装置の特徴を示すものとすることができる。
【００３９】
当業者にとっては、処理手段４を、２つのパート、すなわち、ボタン８についてユーザの対話に基づいてハードディスク２の動作を制御するために用いられる第１のパートと、ハードディスク２か又はメモリ３により供給されるデータを処理するために用いられる第２のパートとに分離することができる。この構成において、当該第１のパートは、ハードディスク２から分離されたものとすることができ、或いはハードディスク２の一部とすることができる。通常、当該第２のパートは、ハードディスク２に組み込まれることはない。処理手段４の第１のパートによりデータがフラッシュされるコモンバスシステムにおいて、当該第１のパートもそのように動作するために組み込まれるデータＤ処理特性を有する場合、ＭＰＥＧ規格に準じてデータを処理するための第２のパートは、どの記憶装置からデータが供給されるかを知る必要もない。但し、常に最大のシステム整合性が得られるようにするためにデータが供給される元のソースについて処理手段４の第２のパートにも知らせると有利なものとなる。
【００４０】
第１のメモリ２から第２のメモリ３へ所定数の曲をコピーすることに代えて、第２のメモリ手段３のメモリサイズに適合する不規則な数の曲がコピーされることができることを規定してもよい。また、これら曲のランダムな選択を可能としてもよい。
【００４１】
この出願の本文において用いられている「ハードディスク」なる表現は、「ハードディスクドライブ」なる表現と同じ意味を有するものであり、それぞれの技術分野で一般に用いられるものもある。
【図面の簡単な説明】
【００４２】
【図１】ブロック回路図の形式で本発明による装置を示す図。
【図１】
2008512813.tif 000003
【国際調査報告】
2008512813.tif 000004
2008512813.tif 000005
2008512813.tif 000006